(57)【要約】【課題】カバー部材の脱着の際に、取手部材と発光部材の干渉を回避し、小型化を可能  にしたテレビレンズを提供すること。【解決手段】レンズ本体にカバー部材をスライドして脱着可能なテレビレンズにおいて、前記レンズ本体に具備された案内部材と、前記案内部材に設けられた案内部と、前記案内部材に設けられた固定部と、前記カバー部材に具備された取手部材と、前記取手部材に設けられた前記案内部と係合するガイド部と、前記取手部材に設けられた前記固定部と係合するガイド固定部から成り、前記取手部材が開閉可能であり、前記案内部と前記ガイド部が係合する際には、前記取手部材が開かれており、前記固定部と前記ガイド固定部が係合する際には、前記取手部材が閉じられることを特徴とする。【選択図】図４
2016029423.tif 000002
【特許請求の範囲】
【請求項１】
レンズ本体にカバー部材をスライドして脱着可能なテレビレンズにおいて、
前記レンズ本体に具備された案内部材と、
前記案内部材に設けられた案内部と、
前記案内部材に設けられた固定部と、
前記カバー部材に具備された取手部材と、
前記取手部材に設けられた前記案内部と係合するガイド部と、
前記取手部材に設けられた前記固定部と係合するガイド固定部から成り、
前記取手部材が開閉可能であり、前記案内部と前記ガイド部が係合する際には、前記取手部材が開かれており、前記固定部と前記ガイド固定部が係合する際には、前記取手部材が閉じられることを特徴とするテレビレンズ。
【請求項２】
前記取手部材と前記カバー部材の間にはバネ部材が設けられていて、前記取手部材が開いた状態に保持することを特徴とする請求項１に記載のテレビレンズ。
【請求項３】
前記レンズ本体に具備された操作器を前記取手部材が開かれた状態で操作出来ることを特徴とする請求項１又は請求項２に記載のテレビレンズ。
【発明の詳細な説明】
【技術分野】
【０００１】
本発明は、保護用のカバー部材を有するテレビレンズに関し、特にカバー部材の脱着に関する。
【背景技術】
【０００２】
従来、テレビレンズのカバー部材は、レンズ本体に対してカバー部材をスライドすることにより、脱着が可能とされている。これにより、レンズ本体の内部の操作や保守点検が行われる。この時の脱着を容易にするために、レンズ本体に案内部材を設け、この案内部材と係合するガイド部材をカバー部材に設けることで案内機能を果たしている。
【０００３】
特許文献１では、カバー部材に取手部材とガイド部材を一体的に構成することで、レンズ本体の重量をカバー部材に掛けないようにした技術が開示されている。ところで、テレビレンズには、テレビカメラの動作状態に応じて、点灯するＬＥＤ等の発光部材が設けられている。この発光部材は、撮影者に撮影状況を視認させることを目的として設けられており、レンズ本体の最大径部の周辺に配置される。
【０００４】
特許文献２では、カバー部材の発光部材用窓を傾斜面にすることで、発光部材の視認性を向上することを可能とした技術が開示されている。
【先行技術文献】
【特許文献】
【０００５】
【特許文献１】特開２０００−２０６５８８号公報
【特許文献２】特開２００８−１２４９１３号公報
【発明の概要】
【発明が解決しようとする課題】
【０００６】
しかしながら、上述の特許文献に開示された従来技術では、カバー部材の脱着の際に取手部材と発光部材の干渉が規制となるため、小型化することが出来ない。
【０００７】
そこで本発明の目的は、カバー部材の脱着の際に、取手部材と発光部材の干渉を回避し、小型化を可能にしたテレビレンズを提供することである。
【課題を解決するための手段】
【０００８】
上記目的を達成するために、本発明は、レンズ本体にカバー部材をスライドして脱着可能なテレビレンズにおいて、前記レンズ本体に具備された案内部材と、前記案内部材に設けられた案内部と、前記案内部材に設けられた固定部と、前記カバー部材に具備された取手部材と、前記取手部材に設けられた前記案内部と係合するガイド部と、前記取手部材に設けられた前記固定部と係合するガイド固定部から成り、前記取手部材が開閉可能であり、前記案内部と前記ガイド部が係合する際には、前記取手部材が開かれており、前記固定部と前記ガイド固定部が係合する際には、前記取手部材が閉じられることを特徴とする。
【発明の効果】
【０００９】
本発明によれば、小型化を可能にしたテレビレンズを提供することができる。
【図面の簡単な説明】
【００１０】
【図１】実施例の斜視図である。
【図２】取手部材の詳細図である。
【図３】図２のＡ視図である。
【図４】カバーをスライドさせる際の図１のＢ箇所断面図である。
【図５】カバーをスライドさせる際の図１のＤ箇所断面図である。
【図６】取手部材を閉じる際の図１のＣ箇所及びＥ箇所断面図である。
【図７】取手部材を固定する際の図１のＤ箇所及びＦ箇所断面図である。
【図８】実施例のカバー部材組付け後の斜視図である。
【発明を実施するための形態】
【００１１】
以下に、本発明の好ましい実施の形態を、添付の図面に基づいて詳細に説明する。図１〜図８は、本発明の実施形態にかかわるテレビレンズである。
【００１２】
［実施例］
以下、図１〜８を参照して、本発明の実施例による、テレビレンズについて説明する。図１は本発明の実施例の斜視図である。レンズ本体10には案内部材11が取り付けられており、案内部材11には、切り欠き部11aが設けられている。また、レンズ本体10には発光部材12が設けられている。一方カバー部材20には取手部材21が設けられている。
【００１３】
図２は取手部材21の詳細図であり、図３は図２のＡ視図である。取手部材21には、２箇所のガイド部21aが設けられている。ガイド部21aには貫通穴21b、案内ガイド部21c及びガイド固定部21dが設けられている。貫通穴21bを介して、軸部品22を、カバー部材20に設けられた取手取付け部20aに取り付けることで、取手部材21はカバー部材20に回転可能に取付けられる。また、カバー部材20と取手部材21の間には、バネ部材23が設けられているため、外力が加わることが無い状態では、取手部材21は常に開いた状態となる。
【００１４】
図４はレンズ本体10にカバー部材20をスライドさせて取り付ける際のＢ箇所断面における取手部材21の状態を示している。取手部材21は開かれているため、発光部材12と干渉すること無くスライドする。
【００１５】
図５はレンズ本体10にカバー部材20をスライドさせて取り付ける際のＤ箇所断面における取手部材21の状態を示している。取手部材21の案内ガイド部21cと、案内部材11に設けられた案内部11bとが係合することで、カバー部材20は他部品と干渉すること無く、安定してスライドする。
【００１６】
図６はレンズ本体10にカバー部材20をスライドさせて取り付ける際のＣ箇所断面及びＥ箇所断面における取手部材21の状態を示している。取手部材21のガイド部21aが案内部材11の切り欠き部11aに達することで、取手部材21は閉じることが可能となる。
【００１７】
図７は取手部材21が閉じられた後のＤ箇所断面及びＦ箇所断面における取手部材21の状態を示している。取手部材21を閉じた状態でスライドすることで、案内部材11に設けられた案内部11b及び固定部11cと、取手部材21のガイド固定部21dが係合することで、取手部材21の開閉のロックが行われる。更には、取手部材21を使って持ち上げる際に、レンズ本体10の重量は取手部材21に設けられたガイド固定部21dに直接作用するので、カバー部材20には重量がかからない。
【００１８】
図８はカバー部材20の取付け後の斜視図である。カバー部材20に設けられた穴部20bを介して、固定部材30をレンズ本体に取り付けることで、カバー部材20の脱着のロックが行われる。
【００１９】
以上の構造によって、カバー部材20の脱着の際に取手部材21と発光部材12の干渉を回避することが出来るため、小型化が可能となる。また、取手部材21が開く位置までカバー部材20をスライドさせるだけで、レンズ本体10に設けられた点検用の操作パネル13（図１及び図６記載）へのアクセスが可能となるため、保守点検時の作業性の向上となる。
【００２０】
以上、本発明の好ましい実施形態について説明したが、本発明はこれらの実施形態に限定されず、その要旨の範囲内で種々の変形及び変更が可能である。
【符号の説明】
【００２１】
10  レンズ本体、11  案内部材、11a  切り欠き部、11b  案内部、11c  固定部、
12  発光部材、20  カバー部材、20a  取手取付部、21  取手部材、21a  ガイド部、
21b  貫通穴、21c  案内ガイド部、21d  ガイド固定部、30  固定部材
【図２】
2016029423.tif 000003
【図３】
2016029423.tif 000004
【図４】
2016029423.tif 000005
【図５】
2016029423.tif 000006
【図６】
2016029423.tif 000007
【図７】
2016029423.tif 000008
【図８】
2016029423.tif 000009
【図１】
2016029423.tif 000010